(57)【特許請求の範囲】
【請求項１】
上歯及び下歯を有する版先クランプ機構を備えた版胴に可撓性の版材を装着するために前記版材の版先に取り付けられる版材装着用部材であって、前記版先に備えられた複数の取付孔に嵌挿される複数の取付ピンを基板上に備えており、前記基板を前記上歯と前記下歯との間で前記版先クランプ機構に配置された位置決めピンに当接されることで前記版先の位置決めを行い、前記基板の前記上歯及び前記下歯に挟持される箇所に変形防止切欠が設けられている版材装着用部材。
【請求項２】
前記複数の取付ピンが、前記版材の幅方向に沿って前記基板上に備えられており、取付ピン間の間隔が４００ｍｍ以下であることを特徴とする請求項１に記載の版材装着用部材。
【発明の詳細な説明】
【０００１】
【発明の属する技術分野】
本発明は、印刷装置や製版装置の版胴に版材を装着するための、版材装着用部材に関する。
【０００２】
【従来の技術】
従来、印刷機等の版胴に、版材を装着するための様々な技術が知られている。図７及び図８に、刷版を印刷機の版胴に装着するための刷版装着装置を示す。図７は、図８におけるＹ−Ｙ概略断面図、図８は、図７におけるＸ矢視図である。
【０００３】
図７に示すように、印刷機の版胴６１は、円柱の一部分を当該円柱の軸方向に切り取り、その切り口である略平らな面（以下、平面部６１ａとよぶ）に溝部６５を設けたような形状を有している。そして溝部６５内には、刷版７０の先端である版先を挟持する版先クランプ機構６２と、刷版７０の後端である版尻を挟持する版尻クランプ機構６３とが設けられている。各クランプ機構６２，６３は、その上面が平面部６１ａと略同一平面を形成する下歯６２ｂ，６３ｂと、下歯に回動可能に支持され、下歯上面との間で版先又は版尻を挟持可能な上歯６２ａ，６３ａとを備えている。さらに、溝部６５底面上で版先クランプ機構６２および版尻クランプ機構６３を前後、左右、斜めに位置調整可能な、図示しない位置調整機構を備えている。
【０００４】
版胴６１の平面部６１ａと曲面部６１ｂとの間には頂部６１ｃが形成されている。図示しないが、版胴によっては、平面部の代わりにクランプ機構の下歯上面等が、曲面部との間に頂部を形成するものもある。
通常、平面部６１ａと曲面部６１ｂとが交差する部分は丸められて、半径５〜３０ｍｍの曲面になっているが、このような部分も本明細書においては頂部と呼ぶことにする。
【０００５】
そして図８に示すように、版先クランプ機構の下歯６２ｂ上面には、版胴６１の軸方向に間隔を隔てた２箇所に、位置決めピン６４が突設されている。版先クランプ機構の上歯６２ａの、位置決めピン６４に対応する箇所には、切欠６６が形成されている。また、図中２点鎖線で示される刷版７０の版先７０ａにも、位置決めピン６４に対応する箇所に切欠７１が形成されている。
【０００６】
【発明が解決しようとする課題】
ところで、近年の印刷物の小ロット化および多様化に伴って、安価でかつ取り扱いが容易な主に金属以外の材料（例えば、プラスチックフィルム、紙等）からなる支持体に感光層を設けた構成の版材（本明細書において、可撓性の版材とよぶ）へのニーズが高まっている。しかしながら、このような版材は可撓性が高いので、版胴に装着する際にいくつかの問題が生じる。
【０００７】
例えば図７及び図８に示した刷版装着装置により、可撓性の刷版７０を版胴６１に装着する場合、オペレータが版尻７０ｂを把持しながら、版先クランプ機構の上歯６２ａと下歯６２ｂとの間に刷版の版先７０ａを押し込み、２箇所の位置決めピン６４に当該版先を当接させた際に、版先７０ａが変形し、その変形した状態で版先７０ａが固定されてしまうことがある。すなわち、菊半裁判以上の刷版を装着可能な版胴においては、版胴６１における２箇所の位置決めピン６４の間隔がかなり広くなり、刷版装着時に、オペレータが可撓性の刷版７０を少しでも押しすぎると、２箇所の位置決めピン６４の間から版先７０ａが押し込み方向に突出するように、刷版７０が変形してしまうのである。しかし、このような変形を避けようとして刷版７０の押し込みが不十分になると、刷版を正確に位置決めすることができない。
【０００８】
前記例のように、可撓性の版材の版胴への装着性は悪く、可撓性の版材を版胴に常に一定の状態で装着することは困難であった。したがって、複数の版胴を要し、それらの版胴間の精密な見当合わせが必要とされる多色印刷（例えば４色印刷）等に、この可撓性の版材を適用すると見当ずれが生じてしまう。
本発明は以上のような事情に鑑みてなされたもので、その目的は、可撓性の版材を確実かつ容易に版胴に装着することを可能にすることにある。
【０００９】
【課題を解決するための手段】
本発明の前記目的は、上歯及び下歯を有する版先クランプ機構を備えた版胴に可撓性の版材を装着するために前記版材の版先に取り付けられる版材装着用部材であって、前記版先に備えられた複数の取付孔に嵌挿される複数の取付ピンを基板上に備えており、前記基板を前記上歯と前記下歯との間で前記版先クランプ機構に配置された位置決めピンに当接されることで前記版先の位置決めを行い、前記基板の前記上歯及び前記下歯に挟持される箇所に変形防止切欠が設けられている版材装着用部材によって達成することができる。
【００１０】
ここで、可撓性の版材とは、金属以外の材料である、プラスチックフィルムや紙からなる支持体や、これらを複合化した形態の支持体等を挙げることができる。更に詳しくは、ポリエステル、ポリエチレンテレフタレート、ポリエチレンナフタレート、ポリカーボネート等のプラスチックフィルムからなる支持体、紙にポリエチレンやポリプロピレン等のプラスチックシートをラミネートした複合シートからなる支持体等が挙げられる。支持体の厚みは、７５〜５００μｍが適当であるが、用いる支持体の種類と印刷条件により最適な厚みは変動する。一般には、１００〜４００μｍが最も好ましい。
版先クランプ機構に配置された位置決めピンとは、版先クランプ機構の下歯上面に上歯に向けて突設されたもの、版先クランプ機構の上歯下面に下歯に向けて突設されたもの、版胴に突設されて版先クランプ機構近傍に配置されたもの等を含む。
版材装着用部材の基板の材質は、可撓性の版材より高剛性のものであることが好ましく、金属等を例示できる。取付ピンは、基板に一体的に形成されたものでもよいし、基板に後付けされたものでもよい。
【００１１】
以上のような版材装着用部材を用いることによって、可撓性の版材の版先が版材装着用部材によって保護され、位置決めピンの間から版先が突出するように版材が変形することがなくなる。したがって、可撓性版材の版胴への装着性が著しく向上され、オペレータの負担を軽減できるとともに、見当ずれが生じなくなり多色印刷等にも可撓性版材を使用できるようになる。また、変形防止切欠により、版材装着用部材の耐久性を向上できる。
【００１２】
また前記構成において、前記複数の取付ピンが、前記版材の幅方向に沿って前記基板上に備えられ、かつ、取付ピン間の間隔が４００ｍｍ以下であれば、位置決めピンの間から版先が突出するように版材が変形することを防止できる。さらに好ましくは、取付ピン間の間隔が２７０ｍｍ以下であれば、版材が変形することを一層確実に防止できる。なお、取付ピン間の間隔は、前記範囲内であれば一定でなくてもよい。
【００１３】
【発明の実施の形態】
以下、本発明の実施形態を、図面に基づいて詳細に説明する。なお、既に説明した部材等については、図中に同一符号または相当符号を付すことにより、説明を簡略化或いは省略する。
図１に、本発明の第１実施形態である版材装着用部材１０と、版材装着用部材１０を取り付ける可撓性の版材としてのポリエステル製の刷版８０とを示す。
刷版８０の版先８０ａには、図８に示した２箇所の位置決めピン６４に対応する箇所に、その周縁が略Ｕ字状である切欠８１が形成されている。また版先８０ａには、刷版８０の幅方向（版胴の軸方向に沿った方向。図では左右方向）に一定の間隔Ｗ１を隔てて、複数（ここでは７個）の取付孔８２が穿設されている。取付孔８２は、切欠８１と同時に形成することができる。
【００１４】
版材装着用部材１０は、鋼、ステンレス鋼、その他合金鋼、黄銅等からなる、刷版８０の幅以上の長さの帯状（長方形状）の基板１１を備えている。基板１１には、図８に示した２箇所の位置決めピン６４に対応する箇所に、円形状の嵌挿孔１３が設けられている。また基板１１には、当該基板の長手方向に一定の間隔Ｗ１（ここでは１２０ｍｍ）を隔てて、複数（ここでは７本）の取付ピン１２が突設されている。複数の取付ピン１２は、刷版８０の幅方向に沿った、すなわち版材装着用部材１０の長手方向に沿った直線上に設けられている。取付ピン１２の大きさは限定されないが、例えば直径６ｍｍ、高さ４ｍｍ程度とすることができる。基板１１の短手方向の幅も限定されず、版胴に取り付けられた際に版胴の頂部にかからない程度の幅であればよい。
【００１５】
図２に、図１に示した刷版８０の版先８０ａに版材装着用部材１０を取り付けた際の、刷版８０の切欠８１近傍の拡大図を示す。図２に示すように、刷版８０の取付孔８２に版材装着用部材１０の取付ピン１２を挿着することで、刷版８０に版材装着用部材１０が固定される。ここでは、版材装着用部材１０の円形状嵌挿孔１３の周縁の一部が、刷版８０の切欠８１の略Ｕ字状周縁の湾曲部と一致するように設定されている。
【００１６】
刷版８０を図８に示した版胴６１に装着する際には、版先クランプ機構６２の位置決めピン６４に版材装着用部材１０の嵌挿孔１３を嵌挿した状態で、当該版材装着用部材１０に刷版８０の版先８０ａを固定する。
【００１７】
図３に、図２におけるIII−III断面図を示す。図３に２点鎖線で示すように、版材装着用部材１０の嵌挿孔１３に版胴の位置決めピン６４を嵌挿した際には、刷版８０の切欠８１内周面は、版材装着用部材１０の嵌挿孔１３の内周面とともに位置決めピン６４に当接する。
【００１８】
以上のような版材装着用部材１０を用いることにより、可撓性の刷版８０の版先８０ａが版材装着用部材１０によって保護され、位置決めピン６４の間から版先８０ａが突出するように刷版８０が変形することがなくなる。したがって、可撓性刷版８０の版胴への装着性が著しく向上され、オペレータの負担を軽減できるとともに、見当ずれが生じなくなり多色印刷等にも可撓性刷版８０を使用できるようになる。
なお、従来より使用している版胴をそのまま用いることができるので、設備コストが高くつくこともない。
【００１９】
図４に、本発明の第２実施形態である版材装着用部材３０と刷版８０とを示す。版材装着用部材３０は、刷版８０の幅以上の長さの基板３１を備えている。基板３１には、図８に示した版胴６１の２箇所の位置決めピン６４に対応する箇所に、その周縁が略Ｕ字状である切欠３３が設けられている。また基板３１には、当該基板の長手方向に一定の間隔Ｗ２（ここでは１２０ｍｍ）を隔てて、複数の（ここでは７本）の取付ピン３２が突設されている。
【００２０】
図５に、図４に示した刷版８０の版先８０ａに版材装着用部材３０を取り付けた際の、刷版８０の切欠８１近傍の拡大図を示す。同図に示すように、刷版８０の取付孔８２に版材装着用部材３０の取付ピン３２を挿着することで、刷版８０に版材装着用部材３０が固着される。ここでは、版材装着用部材３０の切欠３３の周縁が、刷版８０の切欠８１の周縁と一致するように設定されている。
【００２１】
以上のような版材装着用部材３０を用いることにより、可撓性の刷版８０の版先８０ａが版材装着用部材３０によって保護され、位置決めピン６４の間から版先８０ａが突出するように刷版８０が変形することがなくなる。
また、版材装着用部材３０によれば、刷版８０の版先８０ａに版材装着用部材３０を固定してから当該版先を版先クランプ機構に固定する際に、Ｕ字状切欠３３を介して版材装着用部材３０を版先クランプ機構の上歯と下歯の間に差し込むことができるので、版先８０ａの位置決め作業が一層簡略化される。
【００２２】
図６に、本発明の第３実施形態である版材装着用部材５０と刷版８０とを示す。版材装着用部材５０は、刷版８０の幅以上の長さの基板５１を備えている。基板５１には、図８に示した版胴６１の２箇所の位置決めピン６４に対応する箇所に、円形状の嵌挿孔５３が設けられている。また基板５１には、当該基板の長手方向に一定の間隔を隔てて、複数の（ここでは７本）の取付ピン５２が突設されている。また基板５１には、当該基板の、版先クランプ機構の上歯及び下歯に挟持される箇所である、取付ピン５２が突設された側とは反対側の長辺に、複数（ここでは６個）の変形防止切欠５４が等間隔で設けられている。ここでは変形防止切欠５４が、平面視略台形状とされている。
【００２３】
以上のような版材装着用部材５０においては、版先クランプ機構の上歯と下歯によって基板５１を挟持されることで基板５１が押しつぶされても、版材装着用部材５０全体が変形しないように、変形防止切欠５４の形状が適宜変形する。すなわち、版材装着用部材５０全体の変形を、変形防止切欠５４によって吸収する。したがって、版材装着用部材５０の耐久性を向上できる。
【００２４】
なお、本発明は前述した実施形態に限定されるものではなく、適宜な変形・改良等が可能である。
【００２５】
【発明の効果】
以上詳細に説明したように、本発明の版材装着用部材によれば、可撓性版材の版胴への装着性が著しく向上され、オペレータの負担を軽減できるとともに、見当ずれが生じなくなり多色印刷等にも可撓性版材を使用できるようになる。
【図面の簡単な説明】
【図１】本発明の第１実施形態を示す平面図である。
【図２】図１における要部拡大図である。
【図３】図２におけるIII−III断面図である。
【図４】本発明の第２実施形態を示す平面図である。
【図５】図４における要部拡大図である。
【図６】本発明の第３実施形態を示す平面図である。
【図７】従来の版材装着装置を示す図である。
【図８】図７におけるＸ矢視図である。
【符号の説明】
１０，３０，５０    版材装着部材
１１，３１，５１    基板
１２，３２，５２    取付ピン
５４                変形防止切欠
８０                可撓性の刷版（可撓性の版材）
８０ａ              版先
【図１】
0004351781.tif 000002
【図２】
0004351781.tif 000003
【図３】
0004351781.tif 000004
【図４】
0004351781.tif 000005
【図５】
0004351781.tif 000006
【図６】
0004351781.tif 000007
【図７】
0004351781.tif 000008
【図８】
0004351781.tif 000009